(57)【要約】【課題】  ソフトハンドオーバー領域に位置したＵＥの効率的なアップリンクトラフィック伝送率を制御するための基地局のスケジューリング方法及び装置を提供する。【解決手段】  ソフトハンドオーバー領域に位置したＵＥのアクティブ・セットには、最適基地局と複数の非最適基地局が含まれ、ＵＥは非最適基地局から共通スケジューリングによるスケジューリング許可インジケータを受信して結合し、この結合されたスケジューリング許可インジケータが伝送率ダウン又は選択的なダウンを示す場合に、予め定められた確率、現在アップリンク伝送率、サービス等級、又はネットワークの制御シグナリングによって最大伝送率を減少させるか、維持するか、或いは最適基地局からの専用スケジューリング割り当て情報に従うかを判断する。【選択図】  図５
2006050608.tif 000002
【特許請求の範囲】
【請求項１】
拡張されたアップリンクパケットデータサービスを支援する移動通信システムにおけるソフトハンドオーバー中である使用者端末のためのスケジューリング方法であって、
ソフトハンドオーバーによって一つの最適基地局(ｓｅｒｖｉｎｇ  Ｎｏｄｅ  Ｂ)及び少なくとも一つの非最適基地局(ｎｏｎ-ｓｅｒｖｉｎｇ  Ｎｏｄｅ  Ｂ)と通信する使用者端末が、前記最適基地局から専用スケジューリング割り当てによる専用スケジューリング割り当て情報を受信する段階と、
前記使用者端末が前記少なくとも一つの非最適基地局から共通スケジューリング割り当てによる少なくとも一つのスケジューリング許可インジケータを受信する段階と、
前記少なくとも一つの非最適基地局から受信した少なくとも一つのスケジューリング許可インジケータを結合して結合スケジューリング許可インジケータを決定する段階と、
予め定められる基準により、前記結合スケジューリング許可インジケータを使用するか否かを判断する段階と、
前記判断結果、前記専用スケジューリング割り当て情報或いは前記結合スケジューリング許可インジケータによりアップリンクの最大伝送率を決定する段階と、
と含むことを特徴とする方法。
【請求項２】
前記少なくとも一つのスケジューリング許可インジケータは、
前記拡張されたアップリンクパケットデータサービスのための最大伝送率を一段階ダウンさせることを示すダウン(Ｄｏｗｎ)信号、又は前記専用スケジューリング割り当て情報に従うことを示す無視(Ｄｏｎ’ｔ  ｃａｒｅ)信号を示すことを特徴とする請求項１記載の方法。
【請求項３】
前記結合スケジューリング許可インジケータを決定する段階は、
前記少なくとも一つのスケジューリング許可インジケータが少なくとも一つのダウン信号を含むと、前記結合スケジューリング許可インジケータをダウン信号として決定し、 
前記少なくとも一つのスケジューリング許可インジケータがすべて無視信号であると、前記結合スケジューリング許可インジケータを無視信号として決定することを特徴とする請求項２記載の方法。
【請求項４】
前記結合スケジューリング許可インジケータを決定する段階は、
前記少なくとも一つのスケジューリング許可インジケータに対応する非最適基地局に対して割り当てられた加重値を適用して加重合計値を計算し、
前記加重合計値を予め定められる基準値と比較して前記結合スケジューリング許可インジケータをダウン信号又は無視信号として決定することを特徴とする請求項２記載の方法。
【請求項５】
前記最大伝送率を決定する段階は、
前記結合スケジューリング許可インジケータが無視信号であると、前記専用スケジューリング割り当て情報により前記最大伝送率を決定し、
前記結合スケジューリング許可インジケータがダウン信号であると、予め定められた確率値、前記使用者端末の現在アップリンク伝送率、前記使用者端末のサービス等級、ネットワークの制御シグナリングのうち、少なくとも一つにより前記最大伝送率を決定することを特徴とする請求項２記載の方法。
【請求項６】
前記結合スケジューリング許可インジケータがダウン信号であると、任意に発生された確率値を予め定められたしきい値と比較し、
前記確率値が前記しきい値以上であると、前記最大伝送率を一段階減少させ、
前記確率値が前記しきい値より小さいと、前記専用スケジューリング割り当て情報により前記最大伝送率を決定し、或いは以前フレームの伝送率を維持することを特徴とする請求項５記載の方法。
【請求項７】
前記結合スケジューリング許可インジケータがダウン信号であると、前記使用者端末の現在アップリンク伝送率を予め定められたしきい値と比較し、
前記現在アップリンク伝送率が前記しきい値以上であると、前記最大伝送率を一段階減少させ、
前記現在アップリンク伝送率が前記しきい値より小さいと、前記専用スケジューリング割り当て情報により前記最大伝送率を決定し、或いは以前フレームの伝送率を維持することを特徴とする請求項５記載の方法。
【請求項８】
前記使用者端末に設定されたサービス等級が相対的に上位等級であると、前記専用スケジューリング割り当て情報により前記最大伝送率を決定し、前記サービス等級が相対的に下位等級であると、前記最大伝送率を一段階減少させることを特徴とする請求項５記載の方法。
【請求項９】
ネットワークからのシグナリング信号が‘予め定められるビット値’であると、前記専用スケジューリング割り当て情報によって前記最大伝送率を決定し、前記シグナリング信号が‘予め定められるビット値’でないと、前記最大伝送率を一段階減少させることを特徴とする請求項５記載の方法。
【請求項１０】
前記少なくとも一つのスケジューリング許可インジケータは、
前記拡張されたアップリンクパケットデータサービスのための最大伝送率を一段階ダウンさせることを示すダウン信号、又は前記専用スケジューリング割り当て情報に従うことを示す無視(Ｄｏｎ’ｔ  ｃａｒｅ)信号、又は必要な場合に前記許可最大伝送率をダウンさせることを示すマージナルダウン(Ｍａｒｇｉｎａｌ  ｄｏｗｎ)信号を示すことを特徴とする請求項１記載の方法。
【請求項１１】
前記結合スケジューリング許可インジケータを決定する段階は、
前記少なくとも一つのスケジューリング許可インジケータが少なくとも一つのダウン信号を含むと、前記結合スケジューリング許可インジケータをダウン信号として決定し、 
前記少なくとも一つのスケジューリング許可インジケータがダウン信号を含まず、少なくとも一つのマージナルダウン信号を含むと、前記結合スケジューリング許可インジケータをマージナルダウン信号として決定し、
前記少なくとも一つのスケジューリング許可インジケータがすべて無視信号であると、前記結合スケジューリング許可インジケータを無視信号として決定することを特徴とする請求項１０記載の方法。
【請求項１２】
前記結合スケジューリング許可インジケータを決定する段階は、
前記少なくとも一つのスケジューリング許可インジケータに対応する非最適基地局に対して割り当てられた加重値を適用して加重合計値を計算し、
前記加重合計値を予め定められる基準値と比較して前記結合スケジューリング許可インジケータをダウン信号又はマージナルダウン信号又は無視信号として決定することを特徴とする請求項１０記載の方法。
【請求項１３】
前記最大伝送率を決定する段階は、
前記結合スケジューリング許可インジケータが無視信号であると、前記専用スケジューリング割り当て情報により前記最大伝送率を決定し、
前記結合スケジューリング許可インジケータがダウン信号であると、前記最大伝送率を一段階減少させ、
前記結合スケジューリング許可インジケータがマージナルダウン信号であると、予め定められた確率値、前記使用者端末の現在アップリンク伝送率、前記使用者端末のサービス等級、ネットワークの制御シグナリングのうち、少なくとも一つにより前記伝送形式を決定することを特徴とする請求項１０記載の方法。
【請求項１４】
前記結合スケジューリング許可インジケータがマージナルダウン信号であると、任意に発生された確率値を予め定められたしきい値と比較し、
前記確率値が前記しきい値以上であると、前記最大伝送率を一段階減少させ、
前記確率値が前記しきい値より小さいと、前記専用スケジューリング割り当て情報により前記最大伝送率を決定し、或いは以前フレームの伝送率を維持することを特徴とする請求項１３記載の方法。
【請求項１５】
前記結合スケジューリング許可インジケータがマージナルダウン信号であると、前記使用者端末の現在アップリンク伝送率を予め定められたしきい値と比較し、
前記現在アップリンク伝送率が前記しきい値以上であると、前記最大伝送率を一段階減少させ、
前記現在アップリンク伝送率が前記しきい値より小さいと、前記専用スケジューリング割り当て情報により前記最大伝送率を決定し、或いは以前フレームの伝送率を維持することを特徴とする請求項１３記載の方法。
【請求項１６】
前記使用者端末に設定されたサービス等級が相対的に上位等級であると、前記専用スケジューリング割り当て情報により前記最大伝送率を決定し、前記サービス等級が相対的に下位等級であると、前記最大伝送率を一段階減少させることを特徴とする請求項１３記載の方法。
【請求項１７】
ネットワークからのシグナリング信号が‘予め定められるビット値’であると、前記専用スケジューリング割り当て情報によって前記最大伝送率を決定し、前記シグナリング信号が‘予め定められるビット値’でないと、前記最大伝送率を一段階減少させることを特徴とする請求項１３記載の方法。
【請求項１８】
前記専用スケジューリング割り当て情報は、
前記拡張されたアップリンクパケットデータサービスのための最大伝送率を一段階ダウンさせることを示すダウン信号、前記最大伝送率を維持することを示す維持（Ｋｅｅｐ)信号、又は前記最大伝送率を一段階アップすることを示すアップ(Ｕｐ)信号のうち、いずれか一つを含むことを特徴とする請求項１記載の方法。
【請求項１９】
前記専用スケジューリング割り当て情報は、
前記拡張されたアップリンクパケットデータサービスのための最大伝送率と伝送タイミングを直接的に示すスケジューリング割り当て信号を含むことを特徴とする請求項１記載の方法。
【請求項２０】
前記専用スケジューリング割り当て情報は、
前記拡張されたアップリンクパケットデータサービスのための最大伝送率を一段階ダウンさせることを示すダウン信号、前記最大伝送率を維持することを示す維持信号、又は前記最大伝送率を一段階アップすることを示すアップ信号のうち、いずれか一つを含む伝送率許可信号と、
前記最大伝送率を直接的に示すスケジューリング割り当て信号のうちのいずれか一つを含むことを特徴とする請求項１記載の方法。
【請求項２１】
拡張されたアップリンクパケットデータサービスを支援する移動通信システムにおけるソフトハンドオーバー中である使用者端末のスケジューリング受信装置であって、
最適基地局から専用スケジューリング割り当てによる専用スケジューリング割り当て情報を受信し、少なくとも一つの非最適基地局から共通スケジューリング割り当てによる少なくとも一つのスケジューリング許可インジケータを受信する受信部と、
前記少なくとも一つの非最適基地局から受信した少なくとも一つのスケジューリング許可インジケータを結合して結合スケジューリング許可インジケータを決定する第１のスケジューリング決定器と、
予め定められた基準により、前記結合スケジューリング許可インジケータを使用するか否かを判断し、前記判断結果、前記専用スケジューリング割り当て情報或いは前記結合スケジューリング許可インジケータによってアップリンクの最大伝送率を決定する第２のスケジューリング決定器と、
前記最大伝送率以内でアップリンクの伝送形式を決定する伝送形式決定器と、
を含むことを特徴とする装置。
【請求項２２】
前記少なくとも一つのスケジューリング許可インジケータは、
前記拡張されたアップリンクパケットデータサービスのための最大伝送率を一段階ダウンさせることを示すダウン信号、又は前記専用スケジューリング割り当て情報に従うことを示す無視信号を示すことを特徴とする請求項２１記載の装置。
【請求項２３】
前記第１のスケジューリング決定器は、
前記少なくとも一つのスケジューリング許可インジケータが少なくとも一つのダウン信号を含むと、前記結合スケジューリング許可インジケータをダウン信号として決定し、 
前記少なくとも一つのスケジューリング許可インジケータがすべて無視信号であると、前記結合スケジューリング許可インジケータを無視信号として決定することを特徴とする請求項２２記載の装置。
【請求項２４】
前記第１のスケジューリング決定器は、
前記少なくとも一つのスケジューリング許可インジケータに対応する非最適基地局に対して割り当てられた加重値を適用して加重合計値を計算し、
前記加重合計値を予め定められた基準値と比較して前記結合スケジューリング許可インジケータをダウン信号又は無視信号として決定することを特徴とする請求項２２記載の装置。
【請求項２５】
前記第２のスケジューリング決定器は、
前記結合スケジューリング許可インジケータが無視信号であると、前記専用スケジューリング割り当て情報により前記最大伝送率を決定し、
前記結合スケジューリング許可インジケータがダウン信号であると、予め定められた確率値、前記使用者端末の現在アップリンク伝送率、前記使用者端末のサービス等級、ネットワークの制御シグナリングのうち、少なくとも一つによって前記最大伝送率を決定することを特徴とする請求項２２記載の装置。
【請求項２６】
前記結合スケジューリング許可インジケータがダウン信号であると、任意に発生された確率値を予め定められたしきい値と比較し、
前記確率値が前記しきい値以上であると、前記最大伝送率を一段階減少させ、
前記確率値が前記しきい値より小さいと、前記専用スケジューリング割り当て情報により前記最大伝送率を決定し、或いは以前フレームの伝送率を維持することを特徴とする請求項２５記載の装置。
【請求項２７】
前記結合スケジューリング許可インジケータがダウン信号であると、前記使用者端末の現在アップリンク伝送率を予め定められたしきい値と比較し、
前記現在アップリンク伝送率が前記しきい値以上であると、前記最大伝送率を一段階減少させ、
前記現在アップリンク伝送率が前記しきい値より小さいと、前記専用スケジューリング割り当て情報により前記最大伝送率を決定し、或いは以前フレームの伝送率を維持することを特徴とする請求項２５記載の装置。
【請求項２８】
前記使用者端末に設定されたサービス等級が相対的に上位等級であると、前記専用スケジューリング割り当て情報により前記最大伝送率を決定し、前記サービス等級が相対的に下位等級であると、前記最大伝送率を一段階減少させることを特徴とする請求項２５記載の装置。
【請求項２９】
ネットワークからのシグナリング信号が‘予め定められるビット値’であると、前記専用スケジューリング割り当て情報によって前記最大伝送率を決定し、前記シグナリング信号が‘予め定められるビット値’でないと、前記最大伝送率を一段階減少させることを特徴とする請求項２５記載の装置。
【請求項３０】
前記少なくとも一つのスケジューリング許可インジケータは、
前記拡張されたアップリンクパケットデータサービスのための最大伝送率を一段階ダウンさせることを示すダウン信号、又は前記専用スケジューリング割り当て情報に従うことを示す無視信号、又は必要な場合に前記許可最大伝送率をダウンさせることを示すマージナルダウン信号を示すことを特徴とする請求項２１記載の装置。
【請求項３１】
前記第１のスケジューリング決定器は、
前記少なくとも一つのスケジューリング許可インジケータが少なくとも一つのダウン信号を含むと、前記結合スケジューリング許可インジケータをダウン信号として決定し、 
前記少なくとも一つのスケジューリング許可インジケータがダウン信号を含まず、少なくとも一つのマージナルダウン信号を含むと、前記結合スケジューリング許可インジケータをマージナルダウン信号として決定し、 
前記少なくとも一つのスケジューリング許可インジケータがすべて無視信号であると、前記結合スケジューリング許可インジケータを無視信号として決定することを特徴とする請求項２２記載の装置。
【請求項３２】
前記第１のスケジューリング決定器は、
前記少なくとも一つのスケジューリング許可インジケータに対応する非最適基地局に対して割り当てられた加重値を適用して加重合計値を計算し、
前記加重合計値を予め定められた基準値と比較して前記結合スケジューリング許可インジケータをダウン信号又はマージナルダウン信号又は無視信号として決定することを特徴とする請求項３０記載の装置。
【請求項３３】
前記第２のスケジューリング決定器は、
前記結合スケジューリング許可インジケータが無視信号であると、前記専用スケジューリング割り当て情報により前記最大伝送率を決定し、 
前記結合スケジューリング許可インジケータがダウン信号であると、前記最大伝送率を一段階減少させ、 
前記結合スケジューリング許可インジケータがマージナルダウン信号であると、予め定められた確率値、前記使用者端末の現在アップリンク伝送率、前記使用者端末のサービス等級、ネットワークの制御シグナリングのうち、少なくとも一つにより前記伝送形式を決定することを特徴とする請求項３０記載の装置。
【請求項３４】
前記結合スケジューリング許可インジケータがマージナルダウン信号であると、任意に発生された確率値を予め定められたしきい値と比較し、
前記確率値が前記しきい値以上であると、前記最大伝送率を一段階減少させ、
前記確率値が前記しきい値より小さいと、前記専用スケジューリング割り当て情報により前記最大伝送率を決定し、或いは以前フレームの伝送率を維持することを特徴とする請求項３３記載の装置。
【請求項３５】
前記結合スケジューリング許可インジケータがマージナルダウン信号であると、前記使用者端末の現在アップリンク伝送率を予め定められたしきい値と比較し、
前記現在アップリンク伝送率が前記しきい値以上であると、前記最大伝送率を一段階減少させ、
前記現在アップリンク伝送率が前記しきい値より小さいと、前記専用スケジューリング割り当て情報により前記最大伝送率を決定し、或いは以前フレームの伝送率を維持することを特徴とする請求項３３記載の装置。
【請求項３６】
前記使用者端末に設定されたサービス等級が相対的に上位等級であると、前記専用スケジューリング割り当て情報により前記最大伝送率を決定し、前記サービス等級が相対的に下位等級であると、前記最大伝送率を一段階減少させることを特徴とする請求項３３記載の装置。
【請求項３７】
ネットワークからのシグナリング信号が‘予め定められるビット値’であると、前記専用スケジューリング割り当て情報によって前記最大伝送率を決定し、前記シグナリング信号が‘予め定められるビット値’でないと、前記最大伝送率を一段階減少させることを特徴とする請求項３３記載の装置。
【請求項３８】
前記専用スケジューリング割り当て情報は、
前記拡張されたアップリンクパケットデータサービスのための最大伝送率を一段階ダウンさせることを示すダウン信号、前記最大伝送率を維持することを支持する維持信号、又は最大伝送率を一段階アップすることを示すアップ信号のうち、いずれか一つを含むことを特徴とする請求項２１記載の装置。
【請求項３９】
前記専用スケジューリング割り当て情報は、
前記拡張されたアップリンクパケットデータサービスのための最大伝送率と伝送タイミングを直接的に示すスケジューリング割り当て信号を含むことを特徴とする請求項２１記載の装置。
【請求項４０】
前記専用スケジューリング割り当て情報は、
前記拡張されたアップリンクパケットデータサービスのための最大伝送率を一段階ダウンさせることを示すダウン信号、前記最大伝送率を維持することを示す維持信号、又は前記最大伝送率を一段階アップすることを示すアップ信号のうち、いずれか一つを含む伝送率許可信号と、
前記最大伝送率を直接的に示すスケジューリング割り当て信号のうちのいずれか一つを含むことを特徴とする請求項２１記載の装置。
【発明の詳細な説明】
【技術分野】
【０００１】
本発明は非同期広帯域符号分割多重接続(Ｗｉｄｅｂａｎｄ  Ｃｏｄｅ  Ｄｉｖｉｓｉｏｎ  Ｍｕｌｔｉｐｌｅ  Ａｃｃｅｓｓ：以下、“ＷＣＤＭＡ”とする)通信に関するもので、特に、ソフトハンドオーバー領域に位置した使用者端末がアップリンクパケット伝送のための拡張された専用チャンネルを使用することにおいて効率的なスケジューリングを可能にする方法及び装置に関するものである。
【背景技術】
【０００２】
ヨーロッパ式移動通信システムであるＧＳＭ(Ｇｌｏｂａｌ  Ｓｙｓｔｅｍ  ｆｏｒ  Ｍｏｂｉｌｅ  Ｃｏｍｍｕｎｉｃａｔｉｏｎｓ）システムに基づき、ＷＣＤＭＡを使用する第３世代移動通信システムであるＵＭＴＳ(Ｕｎｉｖｅｒｓａｌ  Ｍｏｂｉｌｅ  Ｔｅｌｅｃｏｍｍｕｎｉｃａｔｉｏｎｓ  Ｓｅｒｖｉｃｅ)システムは、移動電話やコンピュータ使用者が全世界どこにいてもパケット基盤のテキスト、デジタル化された音声やビデオ及びマルチメディアデータを２Ｍｂｐｓ以上の高速に伝送できる一貫したサービスを提供する。ＵＭＴＳは、インターネットプロトコル(Ｉｎｔｅｒｎｅｔ  Ｐｒｏｔｏｃｏｌ：ＩＰ）のようなパケットプロトコルを使用する‘パケット交換方式の接続(ｐａｃｋｅｔ-ｓｗｉｔｃｈｅｄ  ａｃｃｅｓｓ)’と呼ばれる仮想接続の概念を使用し、ネットワーク内の他のいずれの終端にも常に接続可能である。
【０００３】
図１は、ＵＭＴＳシステムの無線接続ネットワーク(ＵＭＴＳ  Ｔｅｒｒｅｓｔｒｉａｌ  Ｒａｄｉｏ  Ａｃｃｅｓｓ  Ｎｅｔｗｏｒｋ：以下、“ＵＴＲＡＮ”とする)を示す構成図である。図１を参照すると、ＵＴＲＡＮ１２は、無線網制御器(Ｒａｄｉｏ  Ｎｅｔｗｏｒｋ  Ｃｏｎｔｒｏｌｌｅｒ：以下、“ＲＮＣ”とする)１６ａ，１６ｂと基地局（Ｎｏｄｅ  Ｂ）１８ａ，１８ｂ，１８ｃ，１８ｄで構成され、終端又は使用者端末(Ｕｓｅｒ  Ｅｑｕｉｐｍｅｎｔ：以下、“ＵＥ”とする)２０はコアネットワーク１０に接続される。それぞれの基地局１８ａ，１８ｂ，１８ｃ，１８ｄの下位層に複数のセルが存在できる。それぞれのＲＮＣ１６ａ，１６ｂは関連する下位層の基地局１８ａ，１８ｂ，１８ｃ，１８ｄを制御する。例えば、図１において、ＲＮＣ１６ａは基地局１８ａ，１８ｂを、ＲＮＣ１６ｂは基地局１８ｃ，１８ｄを、それぞれ制御する。それぞれの基地局１８ａ，１８ｂ，１８ｃ，１８ｄは該当する下位層のセルを制御する。一つのＲＮＣとこのＲＮＣによって制御される基地局とセルを合わせて、無線網サブシステム(Ｒａｄｉｏ  Ｎｅｔｗｏｒｋ  Ｓｕｂｓｙｓｔｅｍ：以下、“ＲＮＳ”とする)１４ａ、１４ｂとする。 
【０００４】
ＲＮＣ１６ａ，１６ｂは、自分が制御する基地局１８ａ〜１８ｄの無線資源を割り当て又は管理し、基地局１８ａ〜１８ｄは無線資源を提供する。無線資源はセル別に発生され、基地局１８ａ〜１８ｄによって提供される無線資源は自分が管理するセルの無線資源を意味する。ＵＥ２０は特定基地局の特定セルが提供する無線資源を利用して無線チャンネルを構成し、このチャンネルを使用して通信を遂行することができる。ＵＥ２０は、基地局１８ａ〜１８ｄと該当するセルとの間の区別は無意味で、セル別に構成されるＰＨＹ階層だけを認識するため、以下に、基地局１８ａ〜１８ｄとセルは同一の意味として用いられる。
【０００５】
ＵＥ２０とＲＮＣ１６ａ，１６ｂとの間のインターフェースは、Ｕｕインターフェースと呼ばれ、図２にその詳細な階層的構造を示す。Ｕｕインターフェースは、ＵＥ２０とＲＮＣ１６ａ，１６ｂとの間に制御信号を交換するために使用される制御プレーン(Ｃｏｎｔｒｏｌ  Ｐｌａｎｅ）と実際データを伝送するために使用される使用者プレーン(Ｕｓｅｒ  Ｐｌａｎｅ)に区分される。 
【０００６】
図２を参照すると、制御プレーン信号３０は、ＲＲＣ(Ｒａｄｉｏ  ＲｅｓｏｕｒｃｅＣｏｎｔｒｏｌ)階層３４、ＲＬＣ(Ｒａｄｉｏ  Ｌｉｎｋ  Ｃｏｎｔｒｏｌ)階層４０、ＭＡＣ(Ｍｅｄｉａ  Ａｃｃｅｓｓ  Ｃｏｎｔｒｏｌ)階層４２、及び物理(以下、“ＰＨＹ”とする)階層４４を経て処理される。使用者プレーン情報３２は、ＰＤＣＰ(Ｐａｃｋｅｔ  Ｄａｔａ  Ｃｏｎｔｒｏｌ  Ｐｒｏｔｏｃｏｌ)階層３６、ＢＭＣ(Ｂｒｏａｄｃａｓｔ/Ｍｕｌｔｉｃａｓｔ  Ｃｏｎｔｒｏｌ)階層３８、ＲＬＣ階層４０、ＭＡＣ階層４２、及びＰＨＹ階層４４を経て処理される。ここに示す階層のうち、ＰＨＹ階層４４は、各セルに位置し、ＭＡＣ階層４２からＲＲＣ階層３４までにはＲＮＣに位置する。
【０００７】
ＰＨＹ階層４４は、無線伝送技術を使用する情報伝送サービスを提供し、ＯＳＩ(Ｏｐｅｎｉｎｇ  Ｓｙｓｔｅｍｓ  Ｉｎｅｒｃｏｎｎｅｃｔｉｏｎ)モデルの第１の階層に該当する。ＰＨＹ階層４４とＭＡＣ階層４２との間は、伝送チャンネルで接続されており、伝送チャンネルは特定データがＰＨＹ階層４４で処理される方式によって定義される。
ＭＡＣ階層４２は、論理チャンネルを通じてＲＬＣ階層４０と接続する。ＭＡＣ階層４２は、論理チャンネルを通じてＲＬＣ階層４０から受信されたデータを適切な伝送チャンネルを通じてＰＨＹ階層４４に伝達し、ＰＨＹ階層４４が伝送チャンネルを通じて受信されたデータを適切な論理チャンネルを通じてＲＬＣ階層４０に伝達する役割を果たす。また、ＭＡＣ階層４２は、論理チャンネルや伝送チャンネルを通じて受信されたデータに付加情報を挿入し、或いは挿入された付加情報を解析して適切な動作を行い、ランダムアクセス動作を制御する。このようなＭＡＣ階層４２で、使用者プレーンに関連した部分はＭＡＣ-ｄと称し、制御プレーンに関連した部分はＭＡＣ-ｃと称する。
【０００８】
ＲＬＣ階層４０は、論理チャンネルの設定及び解除を担当する。ＲＬＣ階層４０は、ＡＭ(Ａｃｋｎｏｗｌｅｄｇｅ  Ｍｏｄｅ)、ＵＭ(Ｕｎａｃｋｎｏｗｌｅｄｇｅｄ  Ｍｏｄｅ)、ＴＭ(Ｔｒａｎｓｐａｒｅｎｔ  Ｍｏｄｅ)の３つのモードのうちの一つで動作でき、各動作モードごとに相互に異なる機能を提供する。一般的に、ＲＬＣ階層４０は、上位階層から提供されるサービスデータユニット(Ｓｅｒｖｉｃｅ  Ｄａｔａ  Ｕｎｉｔ：以下、“ＳＤＵ”とする）を適切な大きさに分割したり組み立てる機能及び誤り訂正機能などを有する。 
【０００９】
ＰＤＣＰ階層３６は、使用者プレーンでＲＬＣ階層４０の上位階層に位置し、ＩＰパケット形態で伝送されたデータのヘッダーを圧縮して復元する機能と、特定ＵＥに移動サービスを提供するＲＮＣが変更される状況下でデータの無損失伝達機能を有する。 
ＰＨＹ階層４４と上位階層との間を連結する伝送チャンネルの特性は、畳み込みチャンネル符号化(ｃｏｎｖｏｌｕｔｉｏｎａｌ  ｃｈａｎｎｅｌ  ｅｎｃｏｄｉｎｇ)、インターリビング(ｉｎｔｅｒｌｅａｖｉｎｇ)及びサービス固有伝送率整合(ｓｅｒｖｉｃｅ-ｓｐｅｃｉｆｉｃ  ｒａｔｅ  ｍａｔｃｈｉｎｇ）のようなＰＨＹ階層処理過程を規定している伝送形式(Ｔｒａｎｓｐｏｒｔ  Ｆｏｒｍａｔ：ＴＦ)によって定められる。 
【００１０】
特に、ＵＭＴＳシステムは、ＵＥから基地局へのアップリンク通信において、パケット伝送の性能をより向上させるように、拡張されたアップリンク専用チャンネル(Ｅｎｈａｎｃｅｄ  Ｕｐｌｉｎｋ  Ｄｅｄｉｃａｔｅｄ  Ｃｈａｎｎｅｌ：以下、“Ｅ-ＤＣＨ”とする）を使用する。Ｅ-ＤＣＨは、より安定した高速のデータ伝送を支援するために、複合自動再伝送要求(Ｈｙｂｒｉｄ  Ａｕｔｏｍａｔｉｃ  Ｒｅｔｒａｎｓｍｉｓｓｉｏｎ  Ｒｅｑｕｅｓｔ：ＨＡＲＱ)及び基地局制御スケジューリングのような技術を支援する。Ｅ-ＤＣＨの処理は、ＭＡＣ-ｄ階層の下位に存在するようになるＭＡＣ-ｅ階層によって遂行され、ＭＡＣ-ｅ階層はＥ-ＤＣＨデータに制御情報を付加してＭＡＣ-ｅ ＰＤＵ(ＭＡＣ-ｅｎｈａｎｃｅｄ  Ｐｒｏｔｏｃｏｌ  Ｄａｔａ  Ｕｎｉｔ)と称する。
【００１１】
図３は、チャンネル１１１，１１２，１１３，１１４からなる無線アップリンクでＥ-ＤＣＨを通じるアップリンクパケットデータの伝送を示す図である。 
図３を参照すると、参照符号１００はＥ-ＤＣＨを支援する基地局を示し、参照符号１０１，１０２，１０３，１０４はＥ-ＤＣＨを送信するＵＥを示す。基地局１００は、Ｅ-ＤＣＨを使用するＵＥ１０１〜１０４の状態を把握し、その結果により各ＵＥ１０１〜１０４のデータ伝送率をスケジューリングする。このスケジューリングは、システム全体の性能を高めるために、基地局の測定ＲｏＴ(Ｒｉｓｅ  ｏｖｅｒ  Ｔｈｅｒｍａｌ)値が目標値を超えないようにしながら、基地局から遠く位置したＵＥ１０４には低いデータ伝送率を割り当て、基地局に近く位置したＵＥ１０１には高いデータ伝送率を割り当てる方式で遂行する。 
【００１２】
図４は、Ｅ-ＤＣＨを通じる送受信手順を示す従来の信号フローチャートである。
図４を参照すると、ステップ２０２で、基地局とＵＥはＥ-ＤＣＨを設定する。Ｅ-ＤＣＨの設定ステップ２０２は、専用伝送チャンネルを通じるメッセージの伝達過程を含む。Ｅ-ＤＣＨが設定された後に、ステップ２０４で、ＵＥは基地局にスケジューリング情報を知らせる。スケジューリング情報としては、アップリンクチャンネル情報を示すＵＥ送信電力情報、ＵＥが送信する余分の電力情報、ＵＥのバッファに貯蔵されている送信データ量などがある。
【００１３】
通信中である複数のＵＥからスケジューリング情報を受信した基地局は、ステップ２０６で、各ＵＥのデータ伝送率をスケジューリングするために複数のＵＥから受信されたスケジューリング情報をモニターリングする。具体的に、ステップ２０８で、基地局は、ＵＥにアップリンクパケット伝送を許可することに決定し、ＵＥにスケジューリング割り当て情報を伝送する。スケジューリング割り当て情報は、許可された最大データ伝送率と許可伝送タイミングを含む。
【００１４】
ＵＥは、ステップ２１０で、スケジューリング割り当て情報を用いて逆方向に伝送するＥ-ＤＣＨの伝送形式(ＴＦ）を決定する。ステップ２１２で、ＵＥは、Ｅ-ＤＣＨを通じてアップリンクパケットデータを伝送すると同時に、ＴＦ情報を基地局に伝送する。ステップ２１６で、基地局はＴＦ情報とパケットデータに誤りがあるかを判断する。ステップ２１８で、基地局は、その判断結果、いずれの一つにも誤りがあると不正応答(Ｎｏｎ-Ａｃｋｎｏｗｌｅｄｇｅ：ＮＡＣＫ)を、すべて誤りがないと肯定応答(Ａｃｋｎｏｗｌｅｄｇｅ：ＡＣＫ)を、それぞれＡＣＫ/ＮＡＣＫチャンネルを通じてＵＥに伝送する。ＡＣＫが伝送される場合に、該当パケットデータの伝送が完了されてＵＥは新たなデータをＥ-ＤＣＨを通じて送る。しかしながら、ＮＡＣＫが伝送される場合に、ＵＥは同じ内容のパケットデータをＥ-ＤＣＨを通じて更に再伝送する。 
【００１５】
Ｅ-ＤＣＨは、アップリンクのパケット伝送のための拡張されたチャンネルなので、専用チャンネルの基本的な特性を有し、これら特性の一つはソフトハンドオーバーを支援するためである。ソフトハンドオーバー領域のＵＥは、アクティブ・セット(Ａｃｔｉｖｅ  ｓｅｔ)に属する基地局のすべてからダウンリンク(ｄｏｗｎｌｉｎｋ)情報を受信することができる。したがって、ソフトハンドオーバー領域に位置するＵＥは、Ｅ-ＤＣＨを伝送するために、アクティブ・セットに属する基地局のすべてからスケジューリング割り当て情報を受信するようになる。つまり、ＵＥは、アクティブ・セットに属する基地局から各々異なるスケジューリング割り当て情報を受信するため、ＵＥは相互に異なるスケジューリング割り当て情報に従ってＥ-ＤＣＨの伝送可否を実際に決定する必要がある。
【００１６】
したがって、従来技術によりＥ-ＤＣＨを支援する通信システムでは、ソフトハンドオーバー領域に位置したＵＥは、アクティブ・セットに属する基地局がすべてＵＥ別にスケジューリング割り当て情報を送信してスケジューリングされることによって、ダウンリンクチャンネルのコード資源又は送信電力資源の側面におけるオーバーヘッド問題を有する。また、複数のスケジューリング割り当て情報を受信したＵＥがＥ-ＤＣＨの伝送を決定することは困難性を有する。
【発明の開示】
【発明が解決しようとする課題】
【００１７】
したがって、上記したような従来技術の問題点を解決するために、本発明の目的は、非同期ＷＣＤＭＡ通信システムにおいて、ソフトハンドオーバー領域に位置したＵＥのための拡張されたアップリンク伝送チャンネル(Ｅ-ＤＣＨ）のスケジューリング方法及び装置を提供することにある。
また、本発明の目的は、ソフトハンドオーバー領域に位置したＵＥがアクティブ・セットに含まれた基地局から受信したスケジューリング情報を用いてアップリンクパケット伝送の伝送率を決定する方法及び装置を提供することにある。
【課題を解決するための手段】
【００１８】
上記の目的を達成するために、本発明は、拡張されたアップリンクパケットデータサービスを支援する移動通信システムにおいてソフトハンドオーバー中である使用者端末のためのスケジューリング方法であって、ソフトハンドオーバーによって一つの最適基地局及び少なくとも一つの非最適基地局と通信する使用者端末が、前記最適基地局から専用スケジューリング割り当てによる専用スケジューリング割り当て情報を受信する段階と、前記使用者端末が前記少なくとも一つの非最適基地局から共通スケジューリング割り当てによる少なくとも一つのスケジューリング許可インジケータ(ｉｎｄｉｃａｔｏｒ)を受信する段階と、前記少なくとも一つの非最適基地局から受信した少なくとも一つのスケジューリング許可インジケータを結合して結合スケジューリング許可インジケータを決定する段階と、予め定められる基準により、前記結合スケジューリング許可インジケータを使用するか否かを判断する段階と、前記判断結果、前記専用スケジューリング割り当て情報或いは前記結合スケジューリング許可インジケータによりアップリンクの最大伝送率を決定する段階と、と含むことを特徴とする。
【００１９】
また、本発明は、拡張されたアップリンクパケットデータサービスを支援する移動通信システムにおいてソフトハンドオーバー中である使用者端末のスケジューリング受信装置であって、最適基地局から専用スケジューリング割り当てによる専用スケジューリング割り当て情報を受信し、少なくとも一つの非最適基地局から共通スケジューリング割り当てによる少なくとも一つのスケジューリング許可インジケータを受信する受信部と、前記少なくとも一つの非最適基地局から受信した少なくとも一つのスケジューリング許可インジケータを結合して結合スケジューリング許可インジケータを決定する第１のスケジューリング決定器と、予め定められた基準により、前記結合スケジューリング許可インジケータを使用するか否かを判断し、前記判断結果、前記専用スケジューリング割り当て情報或いは前記結合スケジューリング許可インジケータによってアップリンクの最大伝送率を決定する第２のスケジューリング決定器と、前記最大伝送率以内でアップリンクの伝送形式を決定する伝送形式決定器と、を含むことを特徴とする。
【発明の効果】
【００２０】
本発明は、ソフトハンドオーバー領域に位置したＵＥのスケジューリングのためにダウンリンクスケジューリング情報信号の伝送によって、基地局の送信電力の消耗とダウンリンクチャンネルコード資源の消耗を減少する効果がある。また、ＵＥの追加的な解析方法の提示で、共通スケジューリング情報を用いてＵＥ別に異なる機能を遂行することができる。
【発明を実施するための最良の形態】
【００２１】
以下、本発明の望ましい実施形態を添付の図面を参照して詳細に説明する。
下記に、本発明に関連した公知の機能又は構成に関する具体的な説明が、本発明の要旨を不明にする可能性がある場合に、その詳細な説明を省略する。
後述する本発明の実施形態は、拡張されたアップリンクパケットデータサービスにおいて、ソフトハンドオーバー領域に位置したＵＥのスケジューリングのための ダウンリンクシグナリング情報の発生を減少させつつ、Ｅ-ＤＣＨ伝送形式(ＴＦ）を明確に決定し、アップリンク資源管理の側面でより効率的なスケジューリングを可能にする最適のスケジューリング技術に関するものである。また、本発明の実施形態は、アクティブ・セットに含まれるが、最適スケジューリング基地局(以下、“最適基地局(ｓｅｒｖｉｎｇ  Ｎｏｄｅ  Ｂ)”とする)でなく、他の基地局(以下、“非最適基地局(ｎｏｎ-ｓｅｒｖｉｎｇ  Ｎｏｄｅ  Ｂ)”とする)により開示される(ｉｎｉｔｉａｔｅ)スケジューリング技術を提示する。なお、ソフトハンドオーバー領域に位置したＵＥが最適基地局のスケジューリング割り当て情報と、非最適基地局のスケジューリング割り当て情報を共に受信して解析する方法を提示する。 
【００２２】
一方、本発明では、ＵＥのスケジューリング権限が基地局単位で付与されるものとして説明するが、ＵＥのスケジューリング権限がセル単位で付与可能であることはもちろんである。この場合に、ＵＥのアクティブ・セットには一つの最適スケジューリングセルと、一つ以上の非最適スケジューリングセルが含まれることがわかるべきである。
アップリンクパケット伝送のためのスケジューリング方法では、多様な方法が使用可能である。代表的なスケジューリング方法として、伝送率スケジューリング方法と時間-伝送率スケジューリング方法を説明する。伝送率スケジューリング方法は基地局が各ＵＥの伝送率を段階的に制御する方法である。時間-伝送率スケジューリング方法は、基地局がアップリンクパケット伝送の時間と伝送率を同時に制御する方法である。以下、２つのスケジューリング方法について説明する。
【００２３】
図５は、伝送率スケジューリングのためのアップリンクとダウンリンクの制御情報の伝達と、アップリンクパケットの伝送をする方法を示す図である。 
図５を参照すれば、ＵＥ５０２は、伝送率要求情報５０５とＥ-ＤＣＨデータ５０６を伝送し、基地局５０１はスケジューリングを通じてＵＥ５０２に許可された最大伝送率を示す伝送率許可(Ｒａｔｅ  Ｇｒａｎｔ：ＲＧ)情報５０３を伝送している。伝送率許可情報５０３は、アップ(ＵＰ)、ダウン(ＤＯＷＮ)、維持(ＫＥＥＰ)のうちの一つの伝送率を示すことができる。 
【００２４】
ＵＥ５０２は、アップリンクに伝送すべきデータがバッファにある程度あるかを判断し、その判断結果により、次の希望する伝送率を設定するために、伝送率要求情報５０５を通じて基地局５０１に伝送率の増加又は減少を要求する。伝送率要求 情報５０５を受信した基地局５０１は、ＵＥ５０２と基地局５０１によって制御される他のＵＥからの伝送率要求情報を総合し、このＵＥ５０２の最大伝送率を増加(ＵＰ)させるか、減少(ＤＯＷＮ)させるか、或いは維持(ＫＥＥＰ)させるかを決定し、伝送率許可情報５０３を用いてＵＥに通報する。 
【００２５】
図５のより具体的な例を参照すると、ステップ５０８で、ＵＥ５０２は、伝送率要求情報５０７を用いて伝送率の増加を要求する。伝送率要求情報５０７を受信した基地局５０１は段階５１０でスケジューリングを遂行した後に、伝送率許可情報５０９を用いてＵＥ５０２に伝送率増加を指示する。ＵＥ５０２は、以前伝送率１０(５１１)に比べて一段階増加された伝送率１１(５１２）にアップリンクパケットを伝送可能になる。 
上述した伝送率スケジューリングにおいて、基地局とＵＥは、ＵＥによって使用できる伝送率に関する情報を予め有する。伝送率に関する情報は、一例として、ＷＣＤＭＡ方式で使用される伝送ブロックサイズ(Ｔｒａｎｓｐｏｒｔ  Ｂｌｏｃｋ  Ｓｉｚｅ：以下、“ＴＢＳ”とする)を示す伝送ブロック組合せ(Ｔｒａｎｓｐｏｒｔ  Ｂｌｏｃｋ  Ｃｏｍｂｉｎａｔｉｏｎ：以下、“ＴＢＣ”とする)で表される。
【００２６】
図６は、時間-伝送率スケジューリングのためのアップリンクとダウンリンクの制御情報の伝達と、アップリンクパケットの伝送を遂行する方法を示す図である。 
図６を参照すると、ＵＥ６０３は、データバッファに貯蔵されたデータ量と送信電力を含むＵＥ状態情報６０４を基地局６０１に周期的に、又はイベントトリガ(ｅｖｅｎｔ-ｔｒｉｇｇｅｒｅｄ)方式で伝送する。基地局６０１は、ＵＥ状態情報６０４を参照してスケジューリングによって(ｔｈｒｏｕｇｈ)次の区間で使用されるＵＥ６０３の最大伝送率を決定し、この決定された最大伝送率をスケジューリング割り当て(Ｓｃｈｅｄｕｌｉｎｇ  Ａｓｓｉｇｎｍｅｎｔ：ＳＡ)情報６０２を用いてＵＥ６０３に通報する。これに応じて、ＵＥ６０３は、スケジューリング割り当て情報６０２を受信し、スケジューリング割り当て情報６０２によって示される最大伝送率以内で定められた時間 区間でＥ-ＤＣＨデータ６０５を逆方向に伝送する。 
【００２７】
一例として、最初にＵＥ６０３は、Ｅ-ＤＣＨデータ６０５の伝送のために第１の伝送率６１０を使用する。ＵＥ６０３が、ステップ６２１で、ＵＥ状態情報６１１を基地局６０１に伝送すると、基地局６０１はスケジューリングを遂行してＵＥ６０３に次の区間でＥ-ＤＣＨ伝送を許可するか否かを決定する。基地局６０１がＥ-ＤＣＨ伝送を許可する場合に、ＵＥ６０３に許可する伝送率と伝送が許可された時間情報を定めるようになる。基地局６０１は、ステップ６４１で、スケジューリング割り当て情報６３１を用いてＵＥ６０３に割り当て時間情報と割り当て伝送率情報を伝達する。スケジューリング割り当て情報６３１を受信したＵＥ６０３は、スケジューリング割り当て情報６３１に基づいた時間区間で、定められた伝送率１０(６５１)によりＥ-ＤＣＨデータを伝送する。一方、参照番号６３０のように、基地局６０１は、ＵＥ６０３に時間区間を割り当てない場合に、ＵＥ６０３は最低伝送率の第１の伝送率６５０を用いてＥ-ＤＣＨデータを伝送する。
【００２８】
伝送率スケジューリング方法と時間-伝送率スケジューリングを同時に使用する場合に、一般的に伝送率許可情報に基づいた伝送率スケジューリングを使用する。データの発生や完全消耗(ｅｘｈａｕｓｔｉｏｎ)、チャンネル状態のような伝送率の急激な変化が必要な場合に、スケジューリング割り当て情報を利用する時間-伝送率スケジューリングを使用する方法も可能である。
【００２９】
図７は、ソフトハンドオーバー領域に位置したＵＥが拡張されたアップリンクパケットデータサービスを遂行する動作を示す図である。 
図７において、ＵＥ７０３，７０６，７１０はＥ-ＤＣＨデータを伝送することができる。ＵＥ７１０は、ソフトハンドオーバー領域に位置し、ソフトハンドオーバー領域に関連した第１及び第２の基地局７０１，７０２は、ＵＥ７１０のアクティブ・セットに含まれる。ＵＥ７０３，７０６はソフトハンドオーバー領域に位置していないし、それぞれの基地局７０１，７０２のみと通信する。ＵＥ７０３は、基地局７０１からスケジューリング割り当て情報７０４を受信し、第１の基地局７０１にＥ-ＤＣＨデータ７０５を伝送する。同様に、ＵＥ７０６は、第２の基地局７０２からスケジューリング割り当て情報７０７を受信してＥ-ＤＣＨデータ７０８を伝送する。 
【００３０】
ソフトハンドオーバー領域に位置したＵＥ７１０は、アクティブ・セットに第１及び第２の基地局７０１，７０２すべてを有するようになって、第１及び第２の基地局７０１，７０２からスケジューリング割り当て情報を受信する。ＵＥ７１０のアクティブ・セットに含まれるこれら基地局７０１，７０２は、ＵＥ７１０に対して同一の方法でスケジューリングを遂行することができる。より望ましい場合に、第１及び第２の基地局７０１，７０２は、ＵＥ７１０に対して相互に異なるスケジューリング権限を持ってスケジューリングを遂行することができる。このとき、ＵＥ７１０に対して最大のスケジューリング権限を有する基地局がＵＥ７１０の最適基地局となる。
【００３１】
ＵＥ７１０のために、アクティブ・セットに含まれる第１及び第２の基地局７０１，７０２の中で一つの最適基地局が選択される。例えば、ＵＥ７１０がＥ-ＤＣＨデータをアップリンクに伝送することにおいて、受信ノイズ側面で一番影響を多く受けるようになる基地局が最適基地局に規定され得る。一般的に、ＵＥ７１０と最も近接した基地局、アップリンクチャンネル状態、又はダウンリンクチャンネル状態が良い基地局、アップリンク資源に余裕のある一つの基地局が最適基地局と規定される。 
【００３２】
図７で、第１の基地局７０１はＵＥ７１０の最適基地局であり、第２の基地局７０２はＵＥ７１０の非最適基地局である。ＵＥ７１０は、最適基地局７０１と非最適基地局７０２で伝送された信号７１１，７１３をすべて受信し、最適基地局７０１と非最適基地局７０２もＵＥ７１０によって伝送される信号７１２，７１４をすべて受信する。  
最適基地局７０１と非最適基地局７０２は、すべて自分をアクティブ・セットに含めるすべてのＵＥに各々専用シグナリングを通じてスケジューリング割り当て情報を伝送する場合に、ダウンリンクシグナリングによって送信電力やコード資源の消耗が不可避に増加する。したがって、このような場合に、基地局７０１，７０２は送信電力が不足になり、或いは使用可能なチャンネルコードが不足になるという問題点を有する。特に、ソフトハンドオーバー領域に位置したＵＥ７１０がアクティブ・セットに含まれた２つ以上の基地局７０１，７０２と通信するようになると、ダウンリンクシグナリング情報はその特性上非常に大きなダウンリンク信号強度を必要とする。したがって、上記に説明した送信電力やコード資源の消耗に関する問題は一層深刻になる。
【００３３】
このような問題点を解決するための方法で、本発明の望ましい実施形態で提示するスケジューリング割り当て方法を上記の図７を用いて説明する。
図７で、最適基地局７０１は、ＵＥ７１０のためのスケジューリングを遂行することにおいて、非最適基地局７０２に比べてさらに高い権限を有する。すなわち、最適基地局７０１はより精密、かつ正確な方式でＵＥ７１０に対するスケジューリングが可能で、非最適基地局７０２は最適基地局７０１に比べてＵＥ７１０に対する概略的なスケジューリングのみが可能である。したがって、最適基地局７０１は、ＵＥ７１０のために専用スケジューリングを遂行し、非最適基地局７０２はＵＥ７１０に対して他のＵＥとの共通スケジューリングを遂行する。このような共通スケジューリング割り当て方法はダウンリンク資源消耗を減少させ、非最適基地局７０２の送信電力題やコード資源の不足のような問題を解決することができる。
【００３４】
図８は、本発明の望ましい実施形態による基地局の共通スケジューリング割り当て動作を具体的に示す図である。 
図８を参照すると、第１及び第２のＵＥ８０４，８０５は、ソフトハンドオーバー領域に位置する。第１のＵＥ８０４は、第１〜第３の基地局８０１，８０２，８０３を含むアクティブ・セットを管理し、第１の基地局８０１が第１のＵＥ８０４の最適基地局である。第２のＵＥ８０５は、第２及び第３の基地局８０２，８０３を含むアクティブ・セットを管理し、第３の基地局８０３が第２のＵＥ８０５の最適基地局である。Ｅ-ＤＣＨのスケジューリングにおいて、最適基地局は、各々専用シグナリングを用いて各ＵＥをスケジューリングし、非最適基地局は一度に共通シグナリングを用いて全体ＵＥをスケジューリングする。このとき、伝送率スケジューリング又は時間-伝送率スケジューリングが使用され、或いは２つのスケジューリング方式がすべて使用されることができる。すなわち、第１の基地局８０１は、第１のＵＥ８０４に専用スケジューリング割り当て情報８０６を伝送し、第３の基地局８０３も第２のＵＥ８０５に専用スケジューリング割り当て情報８０７を伝送する。 
【００３５】
一方、第２の基地局８０２は、第１及び第２のＵＥ８０４，８０５に非最適基地局であるため、一つの共通スケジューリング割り当て情報８０８を用いて第１及び第２のＵＥ８０４，８０５を共通にスケジューリングする。すなわち、第２の基地局８０２は、第２の基地局８０２をアクティブ・セットに含め、非最適基地局に設定したＵＥ８０４，８０５のために共通スケジューリング割り当て情報８０８をダウンリンクに伝送する。共通スケジューリング割り当て情報８０８は、第１及び第２のＵＥ８０４，８０５すべてに対してアップリンクの最大伝送率を示す(ｉｎｄｉｃａｔｅ)。これらＵＥ８０４，８０５は、第２の基地局８０２から伝送される共通スケジューリング割り当て情報８０８を受信する。
【００３６】
第１のＵＥ８０４は、第３の基地局８０３を非最適基地局に設定しているため、第３の基地局８０３から伝送される共通スケジューリング割り当て情報８０９を受信する。第３の基地局８０３から伝送される共通スケジューリング割り当て情報８０９は、第１のＵＥ８０４以外に第３の基地局８０３をアクティブ・セットに含めつつ、非最適基地局に設定した他のＵＥと共通に受信すべき情報である。上記のように、一つ以上の基地局からスケジューリング割り当て情報を受信したＵＥは、一つ以上の専用及び共通スケジューリング割り当て情報を結合し、各ＵＥが伝送できるＥ-ＤＣＨの伝送形式を決定する。
【００３７】
以上のように、ソフトハンドオーバー領域に位置したＵＥは最適基地局から専用スケジューリング割り当て情報を受信し、非最適基地局から共通スケジューリング割り当て情報を受信し、ＵＥはこの２個以上のスケジューリング割り当て情報を結合してＥ-ＤＣＨの伝送形式を決定する。以下、実施形態を通じてＵＥが非最適基地局の共通スケジューリング割り当て情報を利用する方法と、ソフトハンドオーバー領域に位置したＵＥが２個以上のスケジューリング割り当て情報を解析する方法を詳細に説明する。
【００３８】
＜第１の実施形態＞
第１の実施形態によると、非最適基地局は２つのレベルを用いて共通スケジューリングを遂行する。最適基地局は、ＵＥに対して各々独立された専用スケジューリングを遂行し、非最適基地局は数個のＵＥに対して一つの共通スケジューリングを遂行する。すなわち、最適基地局は、専用スケジューリングのために伝送率スケジューリングと時間-伝送率スケジューリングのうちのいずれか一つ、又は２つの方式を同時に使用し、他の場合に可能な他のスケジューリング方法を使用する。一方、非最適基地局は、共通スケジューリングのために伝送率スケジューリングによる１ビットのスケジューリング許可インジケータ(Ｓｃｈｅｄｕｌｉｎｇ  Ｇｒａｎｔ  Ｉｎｄｉｃａｔｏｒ)を使用する。上記のように、共通スケジューリング割り当て情報として１ビットのスケジューリング許可インジケータを利用すると、消耗される基地局送信電力やチャンネルコード資源などを節約することができる。
【００３９】
一例として、１ビットのスケジューリング許可インジケータで示す２個のレベルはダウン(Ｄｏｗｎ)信号と無視(Ｄｏｎ’ｔ  Ｃａｒｅ)信号を各々示す。１ビットのスケジューリング許可インジケータは、物理チャンネル上で実数値(ｒｅａｌ  ｖａｌｕｅ)‘＋１’を有する場合にダウン信号を示し(ｉｎｄｉｃａｔｅ)、物理チャンネル上で実数値‘−１’を有する場合に無視信号を示す。他の場合に、実数値は上記の場合と反対の意味を有する。 
【００４０】
スケジューリング許可インジケータの実数値は、ダウン信号の発生頻度と無視信号の発生頻度を考慮してマップされ得る。すなわち、発生頻度が高いと予測される信号が物理チャンネルで不連続伝送(Ｄｉｓｃｏｎｔｉｎｕｏｕｓ  Ｔｒａｎｓｍｉｓｓｉｏｎ：ＤＴＸ）の方法を使用する実数値‘０’にマップされる(ｍａｐｐｅｄ)と、この信号を伝送する場合に、物理チャンネルで消耗される電力を節約するようになり、それによって、送信電力と雑音の減少の面で利得が得られる。ここで、ＤＴＸは、実質的に該当区間での非伝送(ｎｏｎ-ｔｒａｎｓｍｉｓｓｉｏｎ）を意味する。例えば、無視信号がダウン信号に比べて平均的に発生頻度が高いと、無視信号を物理チャンネル上で実数値‘０’にマップして伝送し、ダウン信号は物理チャンネル上で実数値‘＋１’(又は‘−１’）にマップして伝送する。上記のような場合、受信器では０でない基準値を用いて２個の信号を区分する。
【００４１】
非最適基地局が遂行する共通スケジューリング割り当て方法は、下記のようになる。
基地局は、スケジューリングの遂行において、基地局のサービス領域に含まれたＵＥの受信強度を測定してアップリンク資源を管理する。このとき、基地局を非最適基地局に設定したＵＥは非常に高い受信強度を有する。したがって、基地局を最適基地局として有するＵＥ、又は基地局のみをアクティブ・セットに含むＵＥに大きな影響を与えると、基地局はすべてのＵＥ、又は自分を非最適基地局に設定したＵＥのためのスケジューリング許可インジケータをダウン信号として設定する。反対に、受信強度が基地局に大きな影響を与えず、基地局のアップリンク資源に余裕があると、この基地局はＵＥのためのスケジューリング許可インジケータを無視信号として設定する。
【００４２】
第１の実施形態のためのＵＥの構造は、図９に示す。ＵＥは、ソフトハンドオーバー領域に位置し、一つの最適基地局と一つ以上の非最適基地局を有する。 
図９を参照すると、ＵＥは最適基地局から専用スケジューリング割り当て情報９０１を受信する。ここで、専用スケジューリング割り当て情報９０１は、伝送率スケジューリング方法が使用される場合に伝送率許可(Ｒａｔｅ  Ｇｒａｎｔ：ＲＧ)信号となり、時間-伝送率スケジューリング方法が使用される場合にスケジューリング割り当て(Ｓｃｈｅｄｕｌｉｎｇ  Ａｓｓｉｇｎｍｅｎｔ：ＳＡ)信号となり、２つの方法がすべて使用される場合には、伝送率許可信号とスケジューリング割り当て信号との組合せとなる。また、ＵＥは、ｎ個(ここで、ｎは１以上の整数)の非最適基地局からｎ個のスケジューリング許可値９０２乃至９０３を受信する。ここで、スケジューリング許可値は、スケジューリング許可インジケータの実数値を意味する。非最適基地局のためのスケジューリング許可結合関数エグゼキュータ(ｅｘｅｃｕｔｏｒ)９０４は、ｎ個のスケジューリング許可値９０２乃至９０３を結合して一つの結合スケジューリング許可値９０５を決定する。スケジューリング許可結合関数エグゼキュータ９０４の動作は、下記に具体的に説明する。 
【００４３】
ｎ個のスケジューリング許可値９０２乃至９０３から見つけた結合スケジューリング許可値９０５は、最適基地局から受信された専用スケジューリング割り当て情報９０１と共にスケジューリング決定関数エグゼキュータ９０６に入力され、スケジューリング決定関数エグゼキュータ９０６は、ＵＥがＥ-ＤＣＨの伝送形式(ＴＦ）を決定するのに必要な最終的なスケジューリング割り当て値９０８を決定し、Ｅ-ＤＣＨ伝送形式決定器９０７はスケジューリング決定関数エグゼキュータ９０６によって決定されたスケジューリング割り当て値９０８を用いてアップリンク伝送に使用されるＥ-ＤＣＨ伝送形式を決定する。Ｅ-ＤＣＨ伝送形式は、スケジューリング割り当て値９０８に対応する最大伝送率以内で定められる。スケジューリング決定関数エグゼキュータ９０６の動作も下記に具体的に説明する。
【００４４】
図９のスケジューリング許可結合関数エグゼキュータ９０４は非最適基地局の数が２より大きい場合に、下記のような動作が可能である。
一例として、スケジューリング許可結合関数エグゼキュータ９０４は、ＵＥによって受信されたスケジューリング許可値のうちいずれか一つでもダウン信号を示すと、非最適基地局の結合スケジューリング許可値９０５をダウン信号として決定する。すなわち、スケジューリング許可結合関数エグゼキュータ９０４は、全体スケジューリング許可値がすべて無視信号を示す場合のみに、非最適基地局の結合スケジューリング許可値９０５を無視信号として決定するか、さもなければ、非最適基地局の結合スケジューリング許可値９０５をダウン信号として決定する。
【００４５】
他の例として、スケジューリング許可結合関数エグゼキュータ９０４は、加重値合計を用いて非最適基地局のスケジューリング許可値を結合する。ここで、加重値合計は、非最適基地局別に設定された加重値を使用することを意味する。図１０で、スケジューリング許可値の加重合計の結合のためのスケジューリング許可結合関数エグゼキュータ９０４の構造を詳細に説明する。 
【００４６】
図１０を参照すれば、ｎ個のスケジューリング許可値１００１，１００２，１００３がｎ個の非最適基地局から受信されると、スケジューリング許可値１００１〜１００３は、各々予め定められた加重値１００５，１００７，１００９と、乗算器(ｍｕｌｔｉｐｌｉｅｒ)１００６，１００８，１０１０によって乗算された後に、加算器１０１１によって加算される。非最適基地局別に定められた加重値は、セル形態によりＲＮＣのようなネットワークで設定してＵＥに提供する。或いは、ＵＥが基地局間のチャンネル状態に応じて内部的に設定して利用できる。
【００４７】
すなわち、第１の非最適基地局から受信されたスケジューリング許可値１００１は、乗算器１００６で第１の非最適基地局のために設定された加重値Ｗ１(１００５)と乗算されて加算器１０１１に入力される。第２の非最適基地局から受信されたスケジューリング許可値１００２は、乗算器１００８で第２の非最適基地局のために設定された加重値Ｗ２(１００７)と乗算されて加算器１０１１に入力される。第ｎの非最適基地局から受信されたスケジューリング許可値１００３は、乗算器１０１０で第ｎの非最適基地局のために設定された加重値Ｗｎ(１００９）と乗算されて加算器１０１１に入力される。このような方式で、すべての非最適基地局から受信されたスケジューリング許可値１００１〜１００３は、該当する加重値１００５〜１００９と各々乗算されて加算器１０１１に入力される。 
【００４８】
加算器１０１１は、加重値１００５〜１００９が乗算されたスケジューリング許可値を加算して一つの加重合計値を生成する。すると、結合スケジューリング許可値生成器１０１２は、加重合計値により結合スケジューリング許可値９０５を決定する。例えば、結合スケジューリング許可値生成器１０１２は、加重合計値を予め定められた基準値と比較した結果により、結合スケジューリング許可値９０５を決定する。スケジューリング許可インジケータが、実数値‘＋１’を有する場合にダウン信号を示し、実数値‘−１’を有する場合に無視信号を示すと、基準値は‘０’となる。したがって、加重合計値が‘０’以上である場合に、結合スケジューリング許可値９０５はダウン信号に決定され、加重合計値が‘０’より小さい場合に、結合スケジューリング許可値９０５は無視信号に決定される。他の例として、ダウン信号が実数値‘０’で、無視信号が実数値‘＋１’(又は‘−１’)であると、基準値は‘＋０.５’(又は‘−０.５’)となる。 
【００４９】
図９のスケジューリング決定関数エグゼキュータ９０６は、上記に決定された結合スケジューリング許可値９０５と、最適基地局からＵＥに受信された専用スケジューリング割り当て情報９０１とを入力し、ＵＥが送信するＥ-ＤＣＨの伝送形式を決定するようにスケジューリング割り当て値９０８を出力する。結合スケジューリング許可値９０５が無視(Ｄｏｎ’ｔ  ｃａｒｅ)を示していると、ＵＥのＥ-ＤＣＨ伝送形式がある程度変化しても、ＵＥの非最適基地局がアップリンク資源を利用するのに大きな影響を受けない。したがって、ＵＥは最適基地局によって伝送される専用スケジューリング割り当て情報９０１によりＥ-ＤＣＨの伝送形式を決定する。 
【００５０】
一方、結合スケジューリング許可値９０５が“ダウン(Ｄｏｗｎ)”を示していると、ＵＥのＥ-ＤＣＨ伝送が非最適基地局のアップリンク資源利用に大きな負担として作用することを意味する。このダウンは、Ｅ-ＤＣＨ伝送において伝送率スケジューリングが使用される場合に、伝送率を一段階ダウンさせることに対する命令を意味し、時間-伝送率スケジューリングが使用される場合に、Ｅ-ＤＣＨの伝送を制限することに対する命令を意味する。 
【００５１】
ここで、ソフトハンドオーバー領域に位置したすべてのＵＥが、ダウン信号によりＥ-ＤＣＨの伝送率を一段階ダウンさせてＥ-ＤＣＨの伝送形式を決定し、或いは伝送自体に制限を加えると、ＵＥの個別的な状態が考慮されないため、システムの性能又は公平性の側面で効率が低下する。したがって、これを解決するための方法として、下記のような選択的ダウン方法が使用可能である。
【００５２】
第１の方法で、確率的なダウン決定方法が使用される。確率テストを通じて任意に発生した確率が予め定められた値以上である場合に、ＵＥは、結合スケジューリング許可値９０５のダウン決定に従う。さもなければ、ＵＥは、結合スケジューリング許可値９０５のダウン決定を無視する。このように、ダウンに決定された結合スケジューリング許可値９０５が無視される場合に、ＵＥはＥ-ＤＣＨの形式決定で以前フレームの形式をそのまま使用し、又は、最適基地局の専用スケジューリング割り当て情報９０１に従う。
【００５３】
第２の方法で、伝送率スケジューリングが使用される場合に現在使用しているＵＥの伝送率によりダウン決定を受け入れるか否かを判断する。ＵＥは、伝送率しきい値を有する。現在伝送するＥ-ＤＣＨの伝送率がしきい値以上である場合に、非最適基地局がＵＥのＥ-ＤＣＨ伝送によって大きな影響を受ける可能性がある。したがって、ＵＥは結合スケジューリング許可値９０５のダウン決定に従う。一方、現在伝送するＥ-ＤＣＨの伝送率がしきい値より小さい場合、非最適基地局はＵＥのＥ-ＤＣＨ伝送に大きな影響を受けないため、ＵＥは結合スケジューリング許可値９０５のダウン決定に従わず、以前フレームの伝送率をそのまま維持し、或いは最適基地局の専用スケジューリング割り当て情報９０１に従う。 
【００５４】
第３の方法で、ＵＥのＥ-ＤＣＨに対するサービス等級によりダウン決定を受け入れるか否かを判断する。Ｅ-ＤＣＨサービスを提供するＵＥは、初期に等級を割り当て、この等級はＵＥのＥ-ＤＣＨサービスの品質を示す。等級を分ける基準は、ＵＥの課金又はチャンネル状態などが選択されることができる。 
一例として、相対的に上位等級のＵＥは、ダウン信号の受信と関係なく、最適基地局の専用スケジューリング割り当て情報９０１を使用し、相対的に下位等級のＵＥはダウン信号の受信有無によりＥ-ＤＣＨ伝送率を一段階ダウンさせる。他の例として、ＵＥは等級により他の確率しきい値を有する。確率的なテストを通じて任意に発生した確率が確率しきい値以上である場合に、ＵＥは結合スケジューリング許可値９０５のダウン決定に従う。そうでない場合に、端末は結合スケジューリング許可値９０５のダウン決定を無視する。結合スケジューリング許可値９０５のダウン決定が無視される場合に、ＵＥはＥ-ＤＣＨの形式決定で以前フレームの形式をそのまま使用し、又は最適基地局の専用スケジューリング割り当て情報９０１に従う。 
各ＵＥの等級情報は、基地局にも伝達されることができる。この等級情報は、初期ＵＥとのチャンネル設定過程でネットワーク又はＵＥが直接基地局に伝達する。基地局がＵＥの等級を知る場合に、ソフトハンドオーバー領域に位置したＵＥの中で、いくつのＵＥが基地局のスケジューリング割り当て情報に従うかを予測し、スケジューリング割り当て情報を選択することができる。
【００５５】
第４の方法で、Ｅ-ＤＣＨをサービスを受けるＵＥは、ＲＮＣから非最適基地局のダウン信号を解析する方法のためのシグナリングを別に受信する。すなわち、ＲＮＣは各ＵＥにソフトハンドオーバーのうち、非最適基地局から受信されるダウン信号を解析する方法、すなわち、スケジューリング決定関数をＲＲＣシグナリングを用いて通報し、ＵＥは、ＲＮＣシグナリング情報を用いてＥ-ＤＣＨの伝送率を決定する。 
一例として、ＲＮＣは、ＵＥの状態によりスケジューリング決定関数を１又は０として通報する。１をシグナリングを通じて受信したＵＥは、ダウン信号の受信と関係なく、最適基地局の専用スケジューリング割り当て情報９０１を使用する。しがしながら、‘０’をシグナリングを通じて受信したＵＥは、ダウン信号の受信によりＥ-ＤＣＨ伝送率を一段階ダウンさせる。他の例として、ＲＮＣが各ＵＥにソフトハンドオーバー領域の確率テストに使用されるしきい値をシグナリングする。非最適基地局がダウン信号を伝送した場合に、ＵＥは、確率的なテストを通じて任意に発生された確率がしきい値以上である場合に、結合スケジューリング許可値９０５のダウン決定に従う。さもなければ、ＵＥは、結合スケジューリング許可値９０５のダウン決定を無視する。結合スケジューリング許可値９０５のダウン決定が無視される場合に、ＵＥは、Ｅ-ＤＣＨの形式決定で以前フレームの形式をそのまま使用し、或いは最適基地局の専用スケジューリング割り当て情報９０１を利用する。 
【００５６】
ＲＮＣは、ＵＥに伝送するシグナリング情報を基地局にも伝達することによって、基地局のスケジューリングをより効率的に遂行することができる。すなわち、基地局は、ＵＥがソフトハンドオーバー中に非最適基地局からダウン信号を受信した場合の解析方法を知り、ソフトハンドオーバー領域に位置したＵＥの中でいくつのＵＥが基地局のスケジューリング割り当て情報に従うかに対して予測してスケジューリング割り当て情報を選択する。
【００５７】
スケジューリング決定関数エグゼキュータ９０６は、上記で説明した２つの方法に加えて、非最適基地局からのスケジューリング許可値９０２，９０３と最適基地局からの専用スケジューリング割り当て情報９０１を用いる多様な組合せが可能なため、この組合せによりスケジューリング割り当て値９０８を出力する。スケジューリング決定関数エグゼキュータ９０６の出力は、ＵＥが送信すべきＥ-ＤＣＨのための最終的なスケジューリング情報となり、スケジューリング情報を用いてＵＥはＥ-ＤＣＨの伝送形式を決定する。
【００５８】
＜第２の実施形態＞
本発明の第２の実施形態によると、非最適基地局が３個の信号レベルを用いて共通スケジューリングを遂行する。すなわち、非最適基地局は、スケジューリング許可インジケータでダウン信号、マージナル(Ｍａｒｇｉｎａｌ)ダウン信号、無視信号の３つのレベルを示す。最適基地局は、ＵＥに各々独立された専用スケジューリング割り当て情報を通じて専用スケジューリングを遂行し、非最適基地局は多様なＵＥに一つのスケジューリング許可インジケータを通じて共通スケジューリングを遂行する。最適基地局は、専用スケジューリングのために伝送率スケジューリングや時間-伝送率スケジューリング、又は２つの方式を同時に使用したり、その他に可能なすべてのスケジューリング方法を使用する。一方、非最適基地局の共通スケジューリングは、スケジューリング許可インジケータを用いて３つのレベルで伝送率を一括制御する。 
【００５９】
共通スケジューリングに基づいたスケジューリング許可インジケータは、物理チャンネルで実数値‘＋１’を有する場合にダウン信号を示し、物理チャンネルで実数値‘−１’を有する場合に無視信号を示し、伝送しない場合、すなわち実数値‘０’を有する場合にマージナルダウン信号を示す。他の場合に、３つの値‘＋１’，‘−１’，‘０’は上記の信号と異なる方式で組み合わせることができる。 
例えば、実数値は、ダウン信号、無視信号、及びマージナルダウン信号の発生頻度を各々考慮し、スケジューリング許可インジケータにマップされる。すなわち、高い発生頻度が予測される信号が物理チャンネル上で不連続伝送(ＤＴＸ）の方法を使用する実数値‘０’にマップする。ここで、不連続伝送は、事実上、該当信号区間で非伝送に該当する。非伝送方法で信号を伝送する場合に、物理チャンネルで消耗される電力を節約するようになり、それによって送信電力と雑音の減少という利得が得られる。例えば、無視信号がダウン信号とマージナルダウン信号に比べて平均的に発生頻度が高いと、ＵＥは、無視信号を物理チャンネルで実数値‘０’にマップして非伝送方法で伝送し、ダウン信号を物理チャンネルで実数値‘＋１’(又は‘−１’)、及びマージナルダウン信号を‘−１’(又は‘＋１’）にマップして伝送する。 
【００６０】
非最適基地局が遂行する共通スケジューリング割り当て方法は、下記のようになる。 
基地局は、スケジューリングの遂行において、基地局に含まれたＵＥの受信強度を測定してアップリンク資源を管理する。このとき、基地局を非最適基地局に設定したＵＥは、非常に高い受信強度を有する。したがって、基地局を最適基地局とするＵＥ、又は基地局のみをアクティブ・セットに含むＵＥに大きな影響を与えると、基地局はＵＥのためのスケジューリング許可インジケータをダウン信号として設定する。その反面、受信強度が基地局に大きな影響を与えず、基地局のアップリンク資源が余裕がある場合に、基地局はＵＥのためのスケジューリング許可インジケータを無視信号として設定する。また、受信強度が基地局にある程度の影響は与えるが、非最適基地局はアップリンク資源の活用において比較的余裕がある状態であり、或いは、ＵＥのアップリンク伝送をすべて制限して基地局のアップリンク資源が余裕を有する状態であると、基地局はＵＥのためのスケジューリング許可インジケータをマージナルダウン信号に設定する。すなわち、マージナルダウン信号は、ダウン信号に比べて少し強制的にアップリンク伝送率を減少させることを示している。
【００６１】
第２の実施形態のためのＵＥの動作について、上記した図９を参照して更に説明する。ソフトハンドオーバー領域に位置したＵＥは、１つの最適基地局と一つ以上の非最適基地局を有する。 
図９を参照すると、ＵＥは最適基地局から専用スケジューリング割り当て情報９０１を受信する。ここで、専用スケジューリング割り当て情報９０１は、伝送率スケジューリング方法が使用される場合に伝送率許可(ＲＧ)信号となり、時間-伝送率スケジューリング方法が使用される場合にスケジューリング割り当て(ＳＡ)信号となり、２つの方法がすべて使用される場合には、伝送率許可信号とスケジューリング割り当て信号との組合せとなる。また、ＵＥは、ｎ個(ここで、ｎは１以上の整数)の非最適基地局からｎ個のスケジューリング許可値９０２乃至９０３を受信する。ここで、スケジューリング許可値は、スケジューリング許可インジケータの実数値を意味する。非最適基地局のためのスケジューリング許可結合関数エグゼキュータ(ｅｘｅｃｕｔｏｒ)９０４は、ｎ個のスケジューリング許可値９０２乃至９０３を結合して一つの結合スケジューリング許可値９０５を決定する。スケジューリング許可結合関数エグゼキュータ９０４の動作は、下記に具体的に説明する。 
【００６２】
ｎ個のスケジューリング許可値９０２乃至９０３から得られた(ｆｏｕｎｄ)結合スケジューリング許可値９０５は、最適基地局から受信された専用スケジューリング割り当て情報９０１と共にスケジューリング決定関数エグゼキュータ９０６に入力され、スケジューリング決定関数エグゼキュータ９０６は、ＵＥがＥ-ＤＣＨの伝送形式(ＴＦ）を決定するのに必要な最終的なスケジューリング割り当て値９０８を決定し、Ｅ-ＤＣＨ伝送形式決定器９０７はスケジューリング決定関数エグゼキュータ９０６によって決定されたスケジューリング割り当て値９０８を用いてアップリンク伝送に使用されるＥ-ＤＣＨ伝送形式を決定する。Ｅ-ＤＣＨ伝送形式は、スケジューリング割り当て値９０８に対応する最大伝送率以内で定められる。スケジューリング決定関数エグゼキュータ９０６の動作も下記に具体的に説明する。
【００６３】
図９のスケジューリング許可結合関数エグゼキュータ９０４は非最適基地局の数が２より大きい場合に、下記のような動作が可能である。
一例として、スケジューリング許可結合関数エグゼキュータ９０４は、優先基準としてダウン信号を利用する基準設定方法を使用する。すなわち、スケジューリング許可結合関数エグゼキュータ９０４は、ＵＥが受信したスケジューリング許可値９０２，９０３のうちの一つでもダウン信号を示すと、非最適基地局の結合スケジューリング許可値９０５をダウン信号として決定する。もし、すべてのスケジューリング許可値がダウン信号でないと、スケジューリング許可結合関数エグゼキュータ９０４は、次の基準でマージナルダウン信号を利用する。すなわち、ＵＥが受信したスケジューリング許可値９０２，９０３がすべてダウン信号でなくてもそのうちの一つでもマージナルダウン信号を示すと、スケジューリング許可結合関数エグゼキュータ９０４は非最適基地局の結合スケジューリング許可値９０５をマージナルダウン信号として決定する。最後に、ＵＥが受信したすべてのスケジューリング許可値がすべて無視信号であると、スケジューリング許可結合関数エグゼキュータ９０４は非最適基地局の結合スケジューリング許可値９０５を無視信号として決定する。
【００６４】
他の例として、ＵＥは加重値合計を用いて非最適基地局の結合スケジューリング許可値を結合する。ここで、加重値合計は、非最適基地局別に設定された加重値を使用するものである。同様に、上記の図１０を参照して、第２の実施形態によるスケジューリング許可加重合計の加重値合計結合方法を詳細に説明する。 
図１０を参照すれば、ｎ個のスケジューリング許可値１００１，１００２，１００３がｎ個の非最適基地局から受信されると、スケジューリング許可値１００１〜１００３は、各々予め定められた加重値１００５，１００７，１００９と、乗算器１００６，１００８，１０１０によって乗算された後に、加算器１０１１によって加算される。加算器１０１１は、加重値１００５〜１００９が乗算されるスケジューリング許可値を加算して一つの加重合計値を生成する。すると、結合スケジューリング許可値生成器１０１２は、加重合計値によって結合スケジューリング許可値９０５を決定する。 
【００６５】
結合スケジューリング許可値９０５は、加重合計値を予め定められる２個の基準値と比較することによって決定される。例えば、スケジューリング許可インジケータが実数値‘＋１’を有する場合にダウン信号を示し、実数値‘０’を有すると、マージナルダウン信号、そして実数値‘−１’を有する場合に無視信号を示すと、加重合計値と比較される基準値は‘＋１’と‘０’との間の一つの値(第１の値)と、‘０’と‘ー１’との間の他の値(第２の値）となる。したがって、加重合計値が第１の値より大きい場合には結合スケジューリング許可９０５がダウン信号に決定され、加重合計値が第２の値より小さい場合には結合スケジューリング許可値９０５は無視信号に決定される。加重合計値が第１の値と第２の値との間に位置する場合に、結合スケジューリング許可値９０５はマージナルダウン信号に決定される。第１の値と第２の値は、予め定められた値となり、或いはＲＮＣから上位シグナリングを通じて通報された値であり、或いはＵＥが選択した値となる。
【００６６】
また他の例として、スケジューリング許可結合関数エグゼキュータ９０４は、上記した２つの例を結合して動作する。具体的に、スケジューリング許可結合関数エグゼキュータ９０４は優先的にダウン信号を基準として、スケジューリング許可値９０２，９０３のうち、ダウン信号が一つでもある場合に結合スケジューリング許可値９０５をダウン信号に判断し、ダウン信号が一つもない場合にはマージナルダウン信号と無視信号の加重合計方法を用いて結合スケジューリング許可値９０５を判断する。ここで、マージナルダウン信号と無視信号を区別するために０と−１との間の一つの基準値が使用される。
【００６７】
図９のスケジューリング決定関数エグゼキュータ９０６は、上記に決定された結合スケジューリング許可値９０５と、最適基地局からＵＥに受信された専用スケジューリング割り当て情報９０１とを入力し、ＵＥが送信するＥ-ＤＣＨの伝送形式を決定するようにスケジューリング割り当て値９０８を出力する。結合スケジューリング許可値９０５が無視を示すと、ＵＥのＥ-ＤＣＨ伝送形式がある程度変化しても、ＵＥの非最適基地局がアップリンク資源を利用するのに大きな影響を受けない。したがって、ＵＥは最適基地局によって伝送される専用スケジューリング割り当て情報９０１によりＥ-ＤＣＨの伝送形式を決定する。 
【００６８】
一方、結合スケジューリング許可値９０５が“ダウン”を示していると、ＵＥのＥ-ＤＣＨ伝送が非最適基地局のアップリンク資源利用に大きな負担として作用することを意味する。したがって、ＵＥはダウン信号によってＥ-ＤＣＨの許可された最大伝送率を無条件で一段階ダウンしてＥ-ＤＣＨの伝送形式を決定する。
【００６９】
最後に、結合スケジューリング許可値９０５がマージナルダウンであると、これはＵＥのＥ-ＤＣＨ伝送が非最適基地局のアップリンク資源利用に比較的大きい負担になることを意味する。すなわち、結合スケジューリング許可値９０５がマージナルダウンであることは、非最適基地局がＵＥの全部、或いは自分を最適基地局に設定したＵＥに伝送率を一段階ダウンする命令(伝送率スケジューリングの場合)、又はＥ-ＤＣＨ伝送自体を制限する命令(時間-伝送率スケジューリングの場合）を伝送することを示す。したがって、第１の実施形態のダウン信号と同様に、下記のような選択的ダウン方法を使用する。
【００７０】
第１の方法で、確率的なダウン決定方法が使用される。確率テストを通じて任意に発生した確率が予め定められた値以上である場合に、ＵＥは、結合スケジューリング許可値９０５のマージナルダウン決定をダウン信号に解析してＥ-ＤＣＨの伝送率を一段階減少させ、さもなければ、結合スケジューリング許可値９０５を無視する。このように、結合スケジューリング許可値９０５が無視される場合に、ＵＥはＥ-ＤＣＨの形式決定で以前フレームの形式をそのまま使用し、又は、最適基地局の専用スケジューリング割り当て情報９０１に従う。
【００７１】
第２の方法で、伝送率スケジューリングが使用される場合に現在使用しているＵＥの伝送率によりマージナルダウン決定を受け入れるか否かを判断する。ＵＥは、伝送率しきい値を有する。現在伝送するＥ-ＤＣＨの伝送率がしきい値以上である場合に、非最適基地局がＵＥのＥ-ＤＣＨ伝送によって大きな影響を受ける可能性がある。したがって、ＵＥは結合スケジューリング許可値９０５のマージナルダウン決定をダウン信号に解析してＥ-ＤＣＨの伝送率を一段階減少させる。一方、現在伝送するＥ-ＤＣＨの伝送率がしきい値より小さい場合、非最適基地局はＵＥのＥ-ＤＣＨ伝送に大きな影響を受けないため、ＵＥは結合スケジューリング許可値９０５を無視し、以前フレームの伝送率をそのまま維持し、或いは最適基地局の専用スケジューリング割り当て情報９０１に従う。 
【００７２】
第３の方法で、Ｅ-ＤＣＨサービスを受信するＵＥは、初期に割り当てられた等級を利用する。等級は、ＵＥのＥ-ＤＣＨの品質に対する等級であり、Ｅ-ＤＣＨの伝送率を決定する方法は、この等級により遂行される。等級を分ける基準は、ＵＥの課金、又はチャンネル状態などとなる。ＵＥは、予め定められた等級を有し、等級によりマージナルダウン信号を受信した場合に、次のように動作する。 
【００７３】
上位等級のＵＥは、マージナルダウン信号の受信と関係なく、最適基地局の専用スケジューリング割り当て情報９０１を使用し、相対的に下位等級のＵＥは、マージナルダウン信号の受信有無によりこの信号をダウン信号と判断してＥ-ＤＣＨ伝送率を一段階ダウンさせる。他の例として、ＵＥは等級により他の確率しきい値を有する。確率的なテストを通じて任意に発生した確率が確率しきい値以上である場合に、ＵＥはこのマージナルダウン信号を結合スケジューリング許可値９０５のダウン決定に解析する。そうでない場合に、端末は、結合スケジューリング許可値９０５を無視する。結合スケジューリング許可値９０５が無視される場合に、ＵＥは、Ｅ-ＤＣＨの形式決定で以前フレームの形式をそのまま使用し、又は最適基地局の専用スケジューリング割り当て情報９０１に従う。 
【００７４】
各ＵＥの等級情報は、基地局にも伝達されることができる。この等級情報は、初期ＵＥとのチャンネル設定過程でネットワーク又はＵＥが直接基地局に伝達する。基地局がＵＥの等級を知る場合に、ソフトハンドオーバー領域に位置したＵＥの中で、いくつのＵＥが基地局のスケジューリング割り当て情報に従うかを予測し、スケジューリング割り当て情報を選択することができる。
【００７５】
第４の方法で、Ｅ-ＤＣＨサービスを受けるＵＥは、ＲＮＣから非最適基地局のマージナルダウン信号を解析する方法のためのシグナリングを別に受信する。すなわち、ＲＮＣは各ＵＥにソフトハンドオーバーのうち、非最適基地局から受信されるマージナルダウン信号を解析する方法、すなわち、スケジューリング決定関数をＲＲＣシグナリングを用いて通報し、ＵＥは、ＲＮＣシグナリング情報を用いてＥ-ＤＣＨの伝送率を決定する。 
一例として、ＲＮＣは、ＵＥの状態によりスケジューリング決定関数を‘１’又は‘０’として通報する。‘１’をシグナリングによって(ｔｈｒｏｕｇｈ)受信したＵＥは、マージナルダウン信号を無視信号と判断し、最適基地局の専用スケジューリング割り当て情報９０１をそのまま使用する。しがしながら、‘０’をシグナリングによって受信したＵＥは、マージナルダウン信号をダウン信号と判断してＥ-ＤＣＨ伝送率を一段階ダウンさせる。他の例として、ＲＮＣが各ＵＥにソフトハンドオーバー領域の確率テストに使用されるしきい値をシグナリングする。非最適基地局がダウン信号を伝送した場合に、ＵＥは、確率的なテストを通じて任意に発生された確率がしきい値以上である場合に、結合スケジューリング許可値９０５のマージナルダウン信号をダウン信号と判断する。さもなければ、ＵＥは、結合スケジューリング許可値９０５を無視する。結合スケジューリング許可値９０５が無視される場合に、ＵＥは、Ｅ-ＤＣＨの形式決定で以前フレームの形式をそのまま使用し、或いは最適基地局の専用スケジューリング割り当て情報９０１を利用する。 
【００７６】
ＲＮＣは、ＵＥに伝送するシグナリング情報を基地局にも伝達することによって、基地局のスケジューリングをより効率的に遂行することができる。すなわち、基地局は、ＵＥがソフトハンドオーバー中に非最適基地局からマージナルダウン信号を受信した場合の解析方法を知り、ソフトハンドオーバー領域に位置したＵＥの中でいくつのＵＥが基地局のスケジューリング割り当て情報に従うかに対して予測してスケジューリング割り当て情報を選択する。
【００７７】
スケジューリング決定関数エグゼキュータ９０６は、上記に説明した２つの方法に加えて、非最適基地局からのスケジューリング許可値９０２，９０３と最適基地局からの専用スケジューリング割り当て情報９０１を用いる多様な組合せが可能なため、この組合せによりスケジューリング割り当て値９０８を出力する。スケジューリング決定関数エグゼキュータ９０６の出力は、ＵＥが送信すべきＥ-ＤＣＨのための最終的なスケジューリング情報となり、スケジューリング情報を用いてＵＥはＥ-ＤＣＨの伝送形式を決定する。
【００７８】
以上、２つの実施形態を通じて、非最適基地局がスケジューリング許可インジケータを通してソフトハンドオーバー領域に位置したＵＥをスケジューリングし、各ＵＥは非最適基地局から受信したスケジューリング許可インジケータと、最適スケジューリング基地局から受信した専用スケジューリング割り当て情報を用いてＥ-ＤＣＨの伝送形式を決定する方法を説明した。スケジューリング許可インジケータとして、第１の実施形態はダウン信号と無視信号の２つのレベルを、第２の実施形態はダウン信号とマージナルダウン信号、及び無視信号の３つのレベルを示す。 
【００７９】
以上、本発明を具体的な実施形態により詳細に説明したが、形式や細部についての様々な変形が、本発明の範囲から逸脱することなく行われることが可能であることは、当該技術分野における通常の知識を持つ者には明らかである。具体的に、本発明の他の変形された実施形態は、上記のスケジューリング許可インジケータでより多くのレベルを表示して非最適基地局が共通スケジューリングを遂行することにおいて、一層柔軟性を有することができる。したがって、本発明の範囲は、上述した実施形態に限定されるものではなく、特許請求の範囲の記載及びこれと均等なものに基づいて定められるべきである。
【図面の簡単な説明】
【００８０】
【図１】ＵＭＴＳシステムの無線接続ネットワーク(ＵＴＲＡＮ)を示す従来の構成図である。
【図２】ＵＥと基地局と間のインターフェースを示す従来の階層構造図である。
【図３】典型的な無線リンクで、Ｅ-ＤＣＨを通じてアップリンクパケットデータを伝送する従来の方法を示す図である。
【図４】Ｅ-ＤＣＨを通じる送受信手順を示す従来の信号フローチャートである。
【図５】伝送率スケジューリング方法を示す図である。
【図６】時間-伝送率スケジューリング方法を示す図である。
【図７】ソフトハンドオーバー領域に位置したＵＥのＥ-ＤＣＨ伝送を示す図である。
【図８】本発明の実施形態による非最適基地局の共通スケジューリング割り当て方法を示す図である。
【図９】本発明の実施形態により、スケジューリング割り当て情報を受信するＵＥの構造を示す図である。
【図１０】本発明の実施形態におり、結合スケジューリング許可値を決定する方法の一例を示す図である。
【符号の説明】
【００８１】
５０１    基地局
５０２    ＵＥ(使用者端末)
５０３    伝送率許可情報
５０５    伝送率要求情報
９０１    専用スケジューリング割当情報
９０２、９０３    スケジューリング許可値
９０４    スケジューリング許可結合関数エグゼキュータ
９０５    結合スケジューリング許可値
９０６    スケジューリング決定関数エグゼキュータ
９０７    Ｅ−ＤＣＨ伝送形式決定器
９０８    スケジューリング割り当て値
【図１】
2006050608.tif 000003
【図２】
2006050608.tif 000004
【図３】
2006050608.tif 000005
【図４】
2006050608.tif 000006
【図５】
2006050608.tif 000007
【図６】
2006050608.tif 000008
【図７】
2006050608.tif 000009
【図８】
2006050608.tif 000010
【図９】
2006050608.tif 000011
【図１０】
2006050608.tif 000012
【外国語明細書】
2006050608.tif 000013
2006050608.tif 000014
2006050608.tif 000015
2006050608.tif 000016
2006050608.tif 000017
2006050608.tif 000018
2006050608.tif 000019
2006050608.tif 000020
2006050608.tif 000021
2006050608.tif 000022
2006050608.tif 000023
2006050608.tif 000024
2006050608.tif 000025
2006050608.tif 000026
2006050608.tif 000027
2006050608.tif 000028
2006050608.tif 000029
2006050608.tif 000030
2006050608.tif 000031
2006050608.tif 000032
2006050608.tif 000033
2006050608.tif 000034
2006050608.tif 000035
2006050608.tif 000036
2006050608.tif 000037
2006050608.tif 000038
2006050608.tif 000039
2006050608.tif 000040
2006050608.tif 000041
2006050608.tif 000042
2006050608.tif 000043
2006050608.tif 000044
2006050608.tif 000045
2006050608.tif 000046
2006050608.tif 000047
2006050608.tif 000048
2006050608.tif 000049
2006050608.tif 000050
2006050608.tif 000051
2006050608.tif 000052
2006050608.tif 000053
2006050608.tif 000054
2006050608.tif 000055
2006050608.tif 000056
2006050608.tif 000057
2006050608.tif 000058
2006050608.tif 000059
2006050608.tif 000060
2006050608.tif 000061
2006050608.tif 000062
2006050608.tif 000063